(57)【要約】【課題】ＶＴＲ内蔵型テレビジョン受像機等のビデオテープ再生装置において、外光の強度や周期に係らず、ビデオテープの終端及び始端を正確に検出する。【解決手段】光源ドライブ信号の信号パターンを外光の信号パターンと異なる信号パターンとし、光源ドライブ信号の信号パターンと終端センサ又は始端センサからの入力信号の信号パターンとを比較して、これらの信号パターンが一致したときに（Ｓ３でＹＥＳ）、ビデオテープが終端又は始端に達したと判定するようにした（Ｓ４）。これにより、装置のキャビネットが外光を透しやすい場合でも、外光の周期に係らず、ビデオテープの終端及び始端を正確に検出することができる。【選択図】図３
2006024282.tif 000002
【特許請求の範囲】
【請求項１】
ビデオテープに記録された映像・音声信号を再生する再生手段と、
前記再生手段による映像・音声信号の再生や、前記ビデオテープの早送り、巻き戻し等の操作を指示するための操作手段と、
前記操作手段を用いてユーザにより前記再生手段による映像・音声信号の再生や、前記ビデオテープの早送り、巻き戻しの操作が指示されたときに、前記ビデオテープの終端検出や始端検出の制御を行う検出制御手段と、
前記操作手段を用いてユーザにより前記再生手段による映像・音声信号の再生や、前記ビデオテープの早送り、巻き戻し等の操作が指示されたときに、前記検出制御手段から送られた光源ドライブ信号に同期したパルス状の電源を供給する光源ドライブ回路と、
前記光源ドライブ回路から供給されたパルス状の電源に基づいて点灯又は消灯する赤外線発光ダイオードと、
前記操作手段を用いてユーザにより前記再生手段による映像・音声信号の再生の操作、又は前記ビデオテープの早送りの操作が指示されたときに、前記赤外線発光ダイオードから受光した光に基づいて前記ビデオテープの終端を検出するための終端センサと、
前記操作手段を用いてユーザにより前記ビデオテープの巻き戻しの操作が指示されたときに、前記赤外線発光ダイオードから受光した光に基づいて前記ビデオテープの始端を検出するための始端センサと、
装置の各部を保護するためのキャビネットとを備えたビデオテープ再生装置において、
前記光源ドライブ信号の信号パターンは、外光の信号パターンと異なる信号パターンであり、
前記検出制御手段は、
前記操作手段を用いてユーザにより前記再生手段による映像・音声信号の再生の操作、又は前記ビデオテープの早送りの操作が指示されたときに、前記光源ドライブ信号の信号パターンと前記終端センサからの入力信号の信号パターンとを比較して、これらの信号パターンが一致したときに、前記ビデオテープが終端に達したと判定し、
前記操作手段を用いてユーザにより前記ビデオテープの巻き戻しの操作が指示されたときに、前記光源ドライブ信号の信号パターンと前記始端センサからの入力信号の信号パターンとを比較して、これらの信号パターンが一致したときに、前記ビデオテープが始端に達したと判定することを特徴とするビデオテープ再生装置。
【請求項２】
ビデオテープに記録された映像・音声信号を再生する再生手段と、
前記再生手段による映像・音声信号の再生や、前記ビデオテープの早送り、巻き戻し等の操作を指示するための操作手段と、
前記操作手段を用いてユーザにより前記再生手段による映像・音声信号の再生や、前記ビデオテープの早送り、巻き戻しの操作が指示されたときに、前記ビデオテープの終端検出や始端検出の制御を行う検出制御手段と、
前記操作手段を用いてユーザにより前記再生手段による映像・音声信号の再生や、前記ビデオテープの早送り、巻き戻し等の操作が指示されたときに、前記検出制御手段から送られた光源ドライブ信号に同期したパルス状の電源を供給する光源ドライブ回路と、
前記光源ドライブ回路から供給されたパルス状の電源に基づいて点灯又は消灯する投光手段と、
前記操作手段を用いてユーザにより前記再生手段による映像・音声信号の再生の操作、又は前記ビデオテープの早送りの操作が指示されたときに、前記投光手段から受光した光に基づいて前記ビデオテープの終端を検出するための終端センサと、
前記操作手段を用いてユーザにより前記ビデオテープの巻き戻しの操作が指示されたときに、前記投光手段から受光した光に基づいて前記ビデオテープの始端を検出するための始端センサと、
装置の各部を保護するためのキャビネットとを備えたビデオテープ再生装置において、
前記検出制御手段は、
前記操作手段を用いてユーザにより前記再生手段による映像・音声信号の再生の操作、又は前記ビデオテープの早送りの操作が指示されたときに、前記光源ドライブ信号の信号パターンと前記終端センサからの入力信号の信号パターンとを比較して、この比較結果に基づいて前記ビデオテープが終端に達したか否かを判定し、
前記操作手段を用いてユーザにより前記ビデオテープの巻き戻しの操作が指示されたときに、前記光源ドライブ信号の信号パターンと前記始端センサからの入力信号の信号パターンとを比較して、この比較結果に基づいて前記ビデオテープが始端に達したか否かを判定することを特徴とするビデオテープ再生装置。
【請求項３】
前記光源ドライブ信号の信号パターンは、外光の信号パターンと異なる信号パターンであることを特徴とする請求項２に記載のビデオテープ再生装置。
【請求項４】
ビデオテープに記録された映像・音声信号を再生する再生手段と、
前記再生手段による映像・音声信号の再生や、前記ビデオテープの早送り、巻き戻し等の操作を指示するための操作手段と、
前記操作手段を用いてユーザにより前記再生手段による映像・音声信号の再生や、前記ビデオテープの早送り、巻き戻しの操作が指示されたときに、前記ビデオテープの終端検出や始端検出の制御を行う検出制御手段と、
前記操作手段を用いてユーザにより前記再生手段による映像・音声信号の再生や、前記ビデオテープの早送り、巻き戻し等の操作が指示されたときに、前記検出制御手段から送られた光源ドライブ信号に同期したパルス状の電源を供給する光源ドライブ回路と、
前記光源ドライブ回路から供給されたパルス状の電源に基づいて点灯又は消灯する投光手段と、
前記操作手段を用いてユーザにより前記再生手段による映像・音声信号の再生の操作、又は前記ビデオテープの早送りの操作が指示されたときに、前記投光手段から受光した光に基づいて前記ビデオテープの終端を検出するための終端センサと、
前記操作手段を用いてユーザにより前記ビデオテープの巻き戻しの操作が指示されたときに、前記投光手段から受光した光に基づいて前記ビデオテープの始端を検出するための始端センサと、
装置の各部を保護するためのキャビネットとを備えたビデオテープ再生装置において、
前記検出制御手段は、
前記操作手段を用いてユーザにより前記再生手段による映像・音声信号の再生の操作、又は前記ビデオテープの早送りの操作が指示されたときに、前記始端センサを外光検出用のセンサとして用いて、前記始端センサからの入力信号の信号パターンと前記終端センサからの入力信号の信号パターンとを比較して、この比較結果に基づいて前記ビデオテープが終端に達したか否かを判定し、
前記操作手段を用いてユーザにより前記ビデオテープの巻き戻しの操作が指示されたときに、前記終端センサを外光検出用のセンサとして用いて、前記終端センサからの入力信号の信号パターンと前記始端センサからの入力信号の信号パターンとを比較して、この比較結果に基づいて前記ビデオテープが始端に達したか否かを判定することを特徴とするビデオテープ再生装置。
【発明の詳細な説明】
【技術分野】
【０００１】
本発明は、ビデオテープ再生装置に係り、特に、ビデオテープ再生装置におけるビデオテープの始端検出と終端検出の技術に関する。
【背景技術】
【０００２】
従来より、ＶＴＲ（Video Tape Recorder）内蔵型のテレビジョン受像機等のビデオテープ再生装置では、ビデオテープを挟んで赤外線発光ダイオードと対向した位置に、始端センサと終端センサを設けて、始端センサ又は終端センサから検出用のマイコンへの出力信号のレベルが変化したときに、ビデオテープが始端又は終端の透明なリーダテープ部に達したと判定している（例えば、特許文献１参照）。
【０００３】
ところが、上記のような始端センサ又は終端センサからの出力信号の信号レベルのみに基づいてビデオテープの始端又は終端を検出する方法では、ビデオテープ再生装置のキャビネットが、外光を透過し易い材質で形成されている場合や、外光を透し易い構造である場合には、外光の影響から、ビデオテープの始端又は終端を誤検出することがあった。
【０００４】
そこで、光源を点滅させる周期を決定付ける光源ドライブ信号の周期と終端センサからの出力信号の周期とを比較して、これらの周期が等しい場合に、ビデオテープが終端に達したと判定するようにしたテープ終端検出回路が知られている（例えば、特許文献２参照）。
【０００５】
しかしながら、上記のような信号の周期に基づいて、ビデオテープが終端に達したか否かを判定する方法では、外光の周期が光源ドライブ信号の周期に近似している場合には、ビデオテープの終端を誤検出することがある。
【特許文献１】実開昭５５−１４７７６３号公報
【特許文献２】実開昭６２−１５８６３９号公報
【発明の開示】
【発明が解決しようとする課題】
【０００６】
本発明は、上記の問題を解決するためになされたものであり、外光の強度や周期に係らず、ビデオテープの終端及び始端を正確に検出することが可能なビデオテープ再生装置を提供することを目的とする。
【課題を解決するための手段】
【０００７】
上記目的を達成するために請求項１の発明は、ビデオテープに記録された映像・音声信号を再生する再生手段と、再生手段による映像・音声信号の再生や、ビデオテープの早送り、巻き戻し等の操作を指示するための操作手段と、操作手段を用いてユーザにより再生手段による映像・音声信号の再生や、ビデオテープの早送り、巻き戻しの操作が指示されたときに、ビデオテープの終端検出や始端検出の制御を行う検出制御手段と、操作手段を用いてユーザにより再生手段による映像・音声信号の再生や、ビデオテープの早送り、巻き戻し等の操作が指示されたときに、検出制御手段から送られた光源ドライブ信号に同期したパルス状の電源を供給する光源ドライブ回路と、光源ドライブ回路から供給されたパルス状の電源に基づいて点灯又は消灯する赤外線発光ダイオードと、操作手段を用いてユーザにより再生手段による映像・音声信号の再生の操作、又はビデオテープの早送りの操作が指示されたときに、赤外線発光ダイオードから受光した光に基づいてビデオテープの終端を検出するための終端センサと、操作手段を用いてユーザによりビデオテープの巻き戻しの操作が指示されたときに、赤外線発光ダイオードから受光した光に基づいてビデオテープの始端を検出するための始端センサと、装置の各部を保護するためのキャビネットとを備えたビデオテープ再生装置において、光源ドライブ信号の信号パターンは、外光の信号パターンと異なる信号パターンであり、検出制御手段は、操作手段を用いてユーザにより再生手段による映像・音声信号の再生の操作、又はビデオテープの早送りの操作が指示されたときに、光源ドライブ信号の信号パターンと終端センサからの入力信号の信号パターンとを比較して、これらの信号パターンが一致したときに、ビデオテープが終端に達したと判定し、操作手段を用いてユーザによりビデオテープの巻き戻しの操作が指示されたときに、光源ドライブ信号の信号パターンと始端センサからの入力信号の信号パターンとを比較して、これらの信号パターンが一致したときに、ビデオテープが始端に達したと判定するものである。
【０００８】
請求項２の発明は、ビデオテープに記録された映像・音声信号を再生する再生手段と、再生手段による映像・音声信号の再生や、ビデオテープの早送り、巻き戻し等の操作を指示するための操作手段と、操作手段を用いてユーザにより再生手段による映像・音声信号の再生や、ビデオテープの早送り、巻き戻しの操作が指示されたときに、ビデオテープの終端検出や始端検出の制御を行う検出制御手段と、操作手段を用いてユーザにより再生手段による映像・音声信号の再生や、ビデオテープの早送り、巻き戻し等の操作が指示されたときに、検出制御手段から送られた光源ドライブ信号に同期したパルス状の電源を供給する光源ドライブ回路と、光源ドライブ回路から供給されたパルス状の電源に基づいて点灯又は消灯する投光手段と、操作手段を用いてユーザにより再生手段による映像・音声信号の再生の操作、又はビデオテープの早送りの操作が指示されたときに、投光手段から受光した光に基づいてビデオテープの終端を検出するための終端センサと、操作手段を用いてユーザによりビデオテープの巻き戻しの操作が指示されたときに、投光手段から受光した光に基づいてビデオテープの始端を検出するための始端センサと、装置の各部を保護するためのキャビネットとを備えたビデオテープ再生装置において、検出制御手段は、操作手段を用いてユーザにより再生手段による映像・音声信号の再生の操作、又はビデオテープの早送りの操作が指示されたときに、光源ドライブ信号の信号パターンと終端センサからの入力信号の信号パターンとを比較して、この比較結果に基づいてビデオテープが終端に達したか否かを判定し、操作手段を用いてユーザにより再生手段によるビデオテープの巻き戻しの操作が指示されたときに、光源ドライブ信号の信号パターンと始端センサからの入力信号の信号パターンとを比較して、この比較結果に基づいて前記ビデオテープが始端に達したか否かを判定するものである。
【０００９】
請求項３の発明は、請求項２に記載のビデオテープ再生装置において、光源ドライブ信号の信号パターンが、外光の信号パターンと異なる信号パターンであるものである。
【００１０】
請求項４の発明は、ビデオテープに記録された映像・音声信号を再生する再生手段と、再生手段による映像・音声信号の再生や、ビデオテープの早送り、巻き戻し等の操作を指示するための操作手段と、操作手段を用いてユーザにより再生手段による映像・音声信号の再生や、ビデオテープの早送り、巻き戻しの操作が指示されたときに、ビデオテープの終端検出や始端検出の制御を行う検出制御手段と、操作手段を用いてユーザにより再生手段による映像・音声信号の再生や、ビデオテープの早送り、巻き戻し等の操作が指示されたときに、検出制御手段から送られた光源ドライブ信号に同期したパルス状の電源を供給する光源ドライブ回路と、光源ドライブ回路から供給されたパルス状の電源に基づいて点灯又は消灯する投光手段と、操作手段を用いてユーザにより再生手段による映像・音声信号の再生の操作、又はビデオテープの早送りの操作が指示されたときに、投光手段から受光した光に基づいてビデオテープの終端を検出するための終端センサと、操作手段を用いてユーザによりビデオテープの巻き戻しの操作が指示されたときに、投光手段から受光した光に基づいてビデオテープの始端を検出するための始端センサと、装置の各部を保護するためのキャビネットとを備えたビデオテープ再生装置において、検出制御手段は、操作手段を用いてユーザにより再生手段による映像・音声信号の再生の操作、又はビデオテープの早送りの操作が指示されたときに、始端センサを外光検出用のセンサとして用いて、始端センサからの入力信号の信号パターンと終端センサからの入力信号の信号パターンとを比較して、この比較結果に基づいてビデオテープが終端に達したか否かを判定し、操作手段を用いてユーザによりビデオテープの巻き戻しの操作が指示されたときに、終端センサを外光検出用のセンサとして用いて、終端センサからの入力信号の信号パターンと始端センサからの入力信号の信号パターンとを比較して、この比較結果に基づいてビデオテープが始端に達したか否かを判定するものである。
【発明の効果】
【００１１】
請求項１の発明によれば、光源ドライブ信号の信号パターンを外光の信号パターンと異なる信号パターンとし、光源ドライブ信号の信号パターンと終端センサ又は始端センサからの入力信号の信号パターンとを比較して、これらの信号パターンが一致したときに、ビデオテープが終端又は始端に達したと判定するようにした。これにより、装置のキャビネットが外光を透しやすい場合でも、外光の周期に係らず、ビデオテープの終端及び始端を正確に検出することができる。
【００１２】
請求項２の発明によれば、光源ドライブ信号の信号パターンと終端センサ又は始端センサからの入力信号の信号パターンとを比較して、これらの信号パターンが一致したときに、ビデオテープが終端又は始端に達したと判定するようにした。これにより、光源ドライブ信号の信号パターンを通常の外光の信号パターンと異なる信号パターンとすることで、請求項１の発明と同等の効果を得ることができる。
【００１３】
請求項３の発明によれば、光源ドライブ信号の信号パターンを外光の信号パターンと異なる信号パターンしたことにより、上記に記載の効果を的確に得ることができる。
【００１４】
請求項４の発明によれば、映像・音声信号の再生の操作、又はビデオテープの早送りの操作が指示されたときに、始端センサを外光検出用のセンサとして用いて、始端センサからの入力信号の信号パターンと終端センサからの入力信号の信号パターンとを比較して、この比較結果に基づいてビデオテープが終端に達したか否かを判定し、ビデオテープの巻き戻しの操作が指示されたときに、終端センサを外光検出用のセンサとして用いて、終端センサからの入力信号の信号パターンと始端センサからの入力信号の信号パターンとを比較して、この比較結果に基づいてビデオテープが始端に達したか否かを判定するようにした。これにより、装置のキャビネットが外光を透しやすい場合でも、外光の周期や強度に係らず、外光の影響を除去して、ビデオテープの終端及び始端を正確に検出することができる。
【発明を実施するための最良の形態】
【００１５】
本発明を実施するための最良の形態について図面を参照して説明する。本発明は、ビデオテープ再生装置におけるビデオテープの終端検出及び始端検出に関するものである。以下の実施形態では、本発明をＶＴＲ（Video Tape Recorder）内蔵型テレビジョン受像機（いわゆるテレビデオ）に適用した場合の例について説明する。なお、以下に記載した実施形態は、本発明を網羅するものではなく、本発明は、下記の形態だけに限定されない。
【００１６】
図１は、第１の実施形態によるＶＴＲ内蔵型テレビジョン受像機の電気的ブロック構成を示す。このＶＴＲ内蔵型テレビジョン受像機１は、テレビジョン受像機とビデオテープレコーダとを組み合わせたものであり、放送局から配信されるテレビジョン放送信号や外部入力信号に加えて、自機で再生したビデオ映像・音声信号を内蔵のモニタ装置２に出力することができ、また、自機で受信したテレビジョン放送信号や外部入力信号を録画することができる。ＶＴＲ内蔵型テレビジョン受像機１は、装置本体に対する各種の操作を指示するためのリモコン３（操作手段）と、装置全体の制御を行うためのマイコン４と、ビデオ映像・音声信号の記録・再生を行うビデオテープ記録再生部５（再生手段）とを備えている。リモコン３は、ビデオテープ記録再生部５による映像・音声信号の再生や、ビデオテープの早送り、巻き戻し等の操作を指示するためにユーザにより用いられる。マイコン４は、請求項における検出制御手段としても機能し、リモコン３を用いてユーザによりビデオテープ記録再生部５による映像・音声信号の再生や、ビデオテープの早送り、巻き戻しの操作が指示されたときに、ビデオテープの終端検出や始端検出の制御を行う。
【００１７】
また、ＶＴＲ内蔵型テレビジョン受像機１は、光源ドライブ回路６と、発光ユニット７と、始端センサ８と、終端センサ９とを有している。光源ドライブ回路６は、リモコン３を用いてユーザによりビデオテープ記録再生部５による映像・音声信号の再生や、ビデオテープの早送り、巻き戻し等の操作が指示されたときに、マイコン４から送られた光源ドライブ信号に同期したパルス状の電源を供給する。発光ユニット７は、光源ドライブ回路６から供給されたパルス状の電源に基づいて点灯又は消灯する赤外線発光ダイオード、及び赤外線発光ダイオードから発せられた光を始端センサ８と終端センサ９とに導くプリズムより構成される。始端センサ８は、リモコン３を用いてユーザによりビデオテープの巻き戻しの操作が指示されたときに、発光ユニット７から受光した光に基づいてビデオテープの始端を検出するためのものである。終端センサ９は、リモコン３を用いてユーザによりビデオテープ記録再生部５による映像・音声信号の再生や、ビデオテープの早送りの操作が指示されたときに、発光ユニット７から受光した光に基づいてビデオテープの終端を検出するためのものである。
【００１８】
さらにまた、ＶＴＲ内蔵型テレビジョン受像機１は、アンテナ２０を介して受信したテレビジョン放送信号の中からリモコン３を用いてユーザにより選択されたチャンネルの放送信号を抽出するためのチューナ１１と、チューナ１１で取り出された映像と音声の中間周波信号を増幅する映像中間周波増幅回路１２と、スイッチボックス１０とを有している。スイッチボックス１０は、映像中間周波増幅回路１２、ビデオテープ記録再生部５及び外部入力端子１６から入力された映像・音声信号のうち、リモコン３を用いてユーザにより選択された特定の種類の映像・音声信号のみを入力信号として受け付けると共に、これらの映像・音声信号をモニタ装置２だけに出力するか、又はモニタ装置２とビデオテープ記録再生部５とに出力するかを切り替える。
【００１９】
また、ＶＴＲ内蔵型テレビジョン受像機１は、スイッチボックス１０を介して送られた映像信号に基づいて原色信号を再生する色再生回路１３と、スイッチボックス１０を介して送られた音声信号を増幅して、モニタ装置２内蔵のスピーカ１７に出力する音声回路１４と、これらの回路１３、１４を含む装置の各部を保護するためのキャビネット１５と、リモコン３から送信された赤外線信号を受信するリモコン信号受信部１８とを有している。また、キャビネット１５の前面には、ビデオテープカセットの挿入・取出し等のためのカセット挿入口１９が配されている。
【００２０】
上記のリモコン３は、各種のキーからなるキー部３４と赤外線信号発信部３１とを有している。キー部３４には、電源キー３３、数字入力用のキー３５に加えて、各種メニューを表示するためのメニューキー３２が配設されている。また、キー部３４には、ビデオテープ記録再生部５に対して映像・音声信号の再生の操作の指示をするための再生キー３７、ビデオテープ記録再生部５に対してビデオテープの巻き戻しの操作を指示するための巻戻キー３６、及びビデオテープ記録再生部５に対してビデオテープの早送りの操作を指示するための早送キー３８が配されている。
【００２１】
図２は、上記ビデオテープ記録再生部５におけるビデオテープの始端検出及び終端検出の様子を示す。光源ドライブ回路６は、図１に示されるリモコン３を用いてユーザにより映像・音声信号の再生や、ビデオテープ４２の早送り、巻き戻し等の操作が指示されたときに、マイコン４から送られた光源ドライブ信号に同期したパルス状の電源を供給する。発光ユニット７内の赤外線発光ダイオードは、光源ドライブ回路６から供給されたパルス状の電源に基づいて、一定のパターンで点灯又は消灯する。この赤外線発光ダイオードからの光は、発光ユニット７内のプリズムによって始端センサ８と終端センサ９とに導かれる。ビデオテープ４２の始端又は終端における透明なリーダテープ以外の部分では、発光ユニット７からの光は、ビデオテープ４２によって遮断されて、始端センサ８及び終端センサ９に入射しない。始端センサ８及び終端センサ９は、この発光ユニット７からの光を受光しない状態では、ローレベルの信号を出力するように設定されている。これに対して、ビデオテープ４２の始端又は終端における透明なリーダテープの部分では、発光ユニット７からの光は、ビデオテープ４２によって遮断されず、始端センサ８又は終端センサ９に入射する。始端センサ８及び終端センサ９は、発光ユニット７からの光を受光している状態では、ハイレベルの信号を出力するように設定されている。第１の実施形態によるＶＴＲ内蔵型テレビジョン受像機１では、マイコン４から送られた光源ドライブ信号と、始端センサ８及び終端センサ９からの出力信号を比較して、これらの信号パターンが一致したときに、ビデオテープ４２が始端又は終端に達したと判定する。
【００２２】
次に、図２に示されるビデオテープ記録再生部５内の構成について説明する。図に示されるように、ビデオテープ記録再生部５は、カセット４１内のビデオテープ４２の再生、録画、早送り等を行う際に不図示のリールモータにより駆動される巻取リール台４３及び供給リール台４４を有している。また、ビデオテープ記録再生部５は、録画再生時にビデオテープ４２に引っ張りトルクを与えるピンチローラ４５及びキャプスタン４６と、映像信号を記録再生するヘッドシリンダ４７と、録画時に既に登録されていた内容を高周波電流を流して消去する全幅消去ヘッド４９と、音声・コントロールヘッド５０と、各ヘッド４７、４９、５０とテープ面とを密着させて安定したテープ走行をさせるためのバックテンションポスト４８とを有している。音声・コントロールヘッド５０は、ビデオテープ４２の上端部と下端部とに音声信号とコントロール信号とを記録すると共に、ビデオテープ４２の上端部と下端部とに記録された音声信号とコントロール信号とを再生するためのヘッドである。また、図には示していないが、音声・コントロールヘッド５０に隣接した位置には、音声信号だけを消去するための音声消去ヘッドが配設されている。
【００２３】
次に、図３に示されるフローチャートを参照して、上記ＶＴＲ内蔵型テレビジョン受像機１における再生時のビデオテープの終端検出方法について説明する。図１に示されるリモコン３を用いてユーザにより映像・音声信号の再生の操作が指示されると、マイコン４は、光源ドライブ回路６に光源ドライブ信号を出力する。この光源ドライブ信号の信号パターンは、外光の信号パターンと異なる一定の信号パターンである。この信号パターンとしては、例えば、図４に示されるような”ハイ、ロー、ロー、ロー、ハイ”の信号パターンを繰り返した信号パターンが考えられる。光源ドライブ回路６は、この光源ドライブ信号を受信すると、この光源ドライブ信号に同期したパルス状の電源を発光ユニット７内の赤外線発光ダイオードに供給する。発光ユニット７内の赤外線発光ダイオードは、光源ドライブ回路６から供給されたパルス状の電源に基づいて、一定のパターンで点灯又は消灯する。この赤外線発光ダイオードからの光は、発光ユニット７内のプリズムによって始端センサ８と終端センサ９とに導かれる。この状態で終端センサ９からマイコン４に入力される信号が所定レベル以下のときは（ローのレベルのときは）（Ｓ１でＮＯ）、マイコン４は、ビデオテープ４２が終端に達していないと判定する（Ｓ２）。
【００２４】
これに対して、終端センサ９からマイコン４に入力される信号が所定レベル以上のときは（ハイのレベルのときは）（Ｓ１でＹＥＳ）、マイコン４は、ハイのレベルになった時点から所定の時間内における終端センサ９からの入力信号の信号パターンを、対応する時間内における光源ドライブ信号の信号パターンと比較する。そして、これらの信号パターンが一致したときは（Ｓ３でＹＥＳ）、マイコン４は、ビデオテープ４２が終端に達したと判定して（Ｓ４）、リールモータによる巻取リール台４３及び供給リール台４４の駆動を停止させると共に、キャプスタン４６用のモータ（不図示）の駆動を停止させて、ビデオテープ４２に記録された映像・音声信号の再生処理を終了させる（Ｓ５）。
【００２５】
一方、上記Ｓ３の判定処理において、終端センサ９からの入力信号の信号パターンと光源ドライブ信号の信号パターンとが一致していないときは（Ｓ３でＮＯ）、マイコン４は、ビデオテープ４２が終端に達していないと判定して（Ｓ２）、上記Ｓ１の判定処理に戻る。
【００２６】
なお、本ＶＴＲ内蔵型テレビジョン受像機１は、録画時や、ビデオテープ４２の早送り時においても、上記と同様なビデオテープの終端検出処理を行う。また、本ＶＴＲ内蔵型テレビジョン受像機１は、ビデオテープ４２の巻き戻し時には、上記と同様な方法によりビデオテープの始端検出処理を行う。
【００２７】
上記のように、第１の実施形態による映像再生装置１によれば、光源ドライブ信号の信号パターンを外光の信号パターンと異なる信号パターンとし、光源ドライブ信号の信号パターンと終端センサ９又は始端センサ８からの入力信号の信号パターンとを比較して、これらの信号パターンが一致したときに、ビデオテープ４２が終端又は始端に達したと判定するようにした。これにより、装置のキャビネット１５が外光を透しやすい場合でも、外光の周期に係らず、ビデオテープ４２の終端及び始端を正確に検出することができる。
【００２８】
次に、図５に示されるフローチャートを参照して、第２の実施形態のＶＴＲ内蔵型テレビジョン受像機１における巻き戻し時のビデオテープ４２の始端検出方法について説明する。なお、第２の実施形態のＶＴＲ内蔵型テレビジョン受像機１は、図１に示される第１の実施形態の電気的ブロック構成と同様な電気的ブロック構成を有しているが、第１の実施形態のＶＴＲ内蔵型テレビジョン受像機１と異なり、終端センサ９を外光検出用のセンサとして用いることで、光源ドライブ信号を外光の信号パターンと異なる信号パターンとすることなく、正確なビデオテープ４２の始端検出を行うことができる。すなわち、図１に示されるリモコン３を用いてユーザによりビデオテープ４２の巻き戻しの操作が指示されると、マイコン４は、光源ドライブ回路６に光源ドライブ信号を出力する。光源ドライブ回路６は、この光源ドライブ信号を受信すると、この光源ドライブ信号に同期したパルス状の電源を発光ユニット７内の赤外線発光ダイオードに供給する。発光ユニット７内の赤外線発光ダイオードは、光源ドライブ回路６から供給されたパルス状の電源に基づいて、一定の周期で点灯又は消灯する。この赤外線発光ダイオードからの光は、発光ユニット７内のプリズムによって始端センサ８と終端センサ９とに導かれる。マイコン４は、この状態で終端センサ９を外光検出用のセンサとして用いて、始端センサ８からの入力信号と終端センサ９からの入力信号との差信号を求めて（Ｓ１１）、この差信号が０であれば（Ｓ１２でＹＥＳ）、ビデオテープ４２が始端に達していないと判定して（Ｓ１３）、上記Ｓ１１の判定処理に戻る。
【００２９】
これに対して、マイコン４は、差信号が０でなければ（Ｓ１２でＮＯ）、ビデオテープ４２が始端に達したと判定して（Ｓ１４）、リールモータによる巻取リール台４３及び供給リール台４４の駆動を停止させると共に、キャプスタン４６用のモータ（不図示）の駆動を停止させて、ビデオテープ４２の巻戻処理を終了させる（Ｓ１５）。
【００３０】
なお、このＶＴＲ内蔵型テレビジョン受像機１は、再生時、録画時、及びビデオテープ４２の早送り時には、上記と同様な方法によりビデオテープの終端検出処理を行う。
【００３１】
次に、図６に示されるフローチャートを参照して、第３の実施形態のＶＴＲ内蔵型テレビジョン受像機１における巻き戻し時のビデオテープ４２の始端検出方法について説明する。第３の実施形態のＶＴＲ内蔵型テレビジョン受像機１は、図１に示される第１の実施形態の電気的ブロック構成と同様な電気的ブロック構成を有しているが、第１の実施形態のＶＴＲ内蔵型テレビジョン受像機１と異なり、終端センサ９を外光検出用のセンサとして用いて、この終端センサ９からの出力信号で始端センサ８からの出力信号を補正することにより、ビデオテープ４２の始端検出時における外光の影響を除去している。すなわち、図１に示されるリモコン３を用いてユーザによりビデオテープ４２の巻き戻しの操作が指示されると、マイコン４は、光源ドライブ回路６に光源ドライブ信号を出力する。この光源ドライブ信号の信号パターンは、第１の実施形態の場合と同様に、外光の信号パターンと異なる一定の信号パターンである。光源ドライブ回路６は、この光源ドライブ信号を受信すると、この光源ドライブ信号に同期したパルス状の電源を発光ユニット７内の赤外線発光ダイオードに供給する。発光ユニット７内の赤外線発光ダイオードは、光源ドライブ回路６から供給されたパルス状の電源に基づいて、一定のパターンで点灯又は消灯する。この赤外線発光ダイオードからの光は、発光ユニット７内のプリズムによって始端センサ８と終端センサ９とに導かれる。マイコン４は、この状態で終端センサ９を外光検出用のセンサとして用いて、始端センサ８からの入力信号と終端センサ９からの入力信号との差信号を求めることにより（Ｓ２１）、始端センサ８からの入力信号より外光の影響を除去する。そして、この外光の影響を除去した始端センサ８からの入力信号の信号パターンが、対応する光源ドライブ信号の信号パターンと一致していないときは（Ｓ２２でＮＯ）、マイコン４は、ビデオテープ４２が終端に達していないと判定して（Ｓ２３）、上記Ｓ１の判定処理に戻る。
【００３２】
これに対して、上記Ｓ２２の判定処理において、終端センサ９からの入力信号の信号パターンと光源ドライブ信号の信号パターンとが一致したときは（Ｓ２２でＹＥＳ）、マイコン４は、ビデオテープ４２が始端に達したと判定して（Ｓ２４）、リールモータによる巻取リール台４３及び供給リール台４４の駆動を停止させると共に、キャプスタン４６用のモータ（不図示）の駆動を停止させて、ビデオテープ４２の巻戻処理を終了させる（Ｓ２５）。
【００３３】
なお、このＶＴＲ内蔵型テレビジョン受像機１は、再生時、録画時、及びビデオテープ４２の早送り時には、上記と同様な方法によりビデオテープの終端検出処理を行う。
【００３４】
なお、本発明は、上記実施形態に限られるものではなく、様々な変形が可能である。例えば、上記第１の実施形態では、マイコン４が、図４に示されるような、通常の外光を終端センサ９で検出した場合の検出信号には有り得ない様なパターンの光源ドライブ信号を出力する場合の例を示したが、マイコン４が、予め終端センサ又は始端センサで検出した外光の検出信号と異なる周期の光源ドライブ信号を出力するようにしてもよい。また、マイコン４が、予め終端センサで検出した外光の検出信号の周期と、予め始端センサで検出した外光の検出信号の周期とが異なる場合に、マイコン４が、これらの周期のうちのいずれの周期とも異なる周期の光源ドライブ信号を出力するようにしてもよい。
【図面の簡単な説明】
【００３５】
【図１】本発明の第１の実施形態によるＶＴＲ内蔵型テレビジョン受像機の電気的ブロック構成図。
【図２】上記テレビジョン受像機におけるビデオテープの始端検出及び終端検出の様子を示す図。
【図３】上記テレビジョン受像機における再生時のビデオテープの終端検出処理のフローチャート。
【図４】上記テレビジョン受像機における光源ドライブ信号の信号パターンの例を示す図。
【図５】本発明の第２の実施形態によるＶＴＲ内蔵型テレビジョン受像機の巻き戻し時におけるビデオテープの始端検出処理のフローチャート。
【図６】本発明の第３の実施形態によるＶＴＲ内蔵型テレビジョン受像機の巻き戻し時におけるビデオテープの始端検出処理のフローチャート。
【符号の説明】
【００３６】
１    ＶＴＲ内蔵型テレビジョン受像機（ビデオテープ再生装置）
３    リモコン（操作手段）
４    マイコン（検出制御手段）
５    ビデオテープ記録再生部（再生手段）
６    光源ドライブ回路
７    発光ユニット（投光手段）
８    始端センサ
９    終端センサ
１５  キャビネット
【図１】
2006024282.tif 000003
【図２】
2006024282.tif 000004
【図３】
2006024282.tif 000005
【図４】
2006024282.tif 000006
【図５】
2006024282.tif 000007
【図６】
2006024282.tif 000008